(57)【要約】【課題】被貼付物を安定的に支持でき、かつ、様々なタイプのラベルに対応可能なラベル貼り付け器具を提供することにある。【解決手段】ＣＤ４０は、外枠部２０内に設けられた支持部２２によって外周側で支持されるようになっている。また、ラベル４１の位置決めは、収容部２１の内周面２１Ａによって行われる。また、外枠部２０の待機位置から貼り付け位置への移動に際して、突起部１５がテーパ部２４によって案内されることにより、外枠部２０が滑らかに、ゆっくりと下降する。さらに、収容部２１の内周面２１Ａには、この内周面２１Ａと、載置面１３と、ＣＤ４０とで囲まれる閉鎖空間Ｓを外部空間に連通させる空気抜き孔部２５が設けられており、閉鎖空間Ｓ内の空気は空気抜き孔部２５を通って外部空間へ逃がされる。これらにより、ラベル貼り付け器具１はＣＤ４０を安定的に支持することができ、また、中心孔を有さないタイプのラベル４１に適用可能である。【選択図】　図１
2004123160.tif 000002
【特許請求の範囲】
【請求項１】
記録媒体へのラベルの貼り付けを行うためのラベル貼り付け器具であって、
前記ラベルを位置決め状態で載置するための載置面を備えた載置部と、前記載置面の外周を包囲するように設けられ前記記録媒体をその外周側において位置決め状態で支持するための支持部を備えた外枠部とを備え、
前記外枠部は、前記載置部に対して前記記録媒体が前記載置面に載置されたラベルから離れる待機位置と、前記記録媒体が前記ラベルに接する貼り付け位置との間で相対的に移動可能とされていることを特徴とするラベル貼り付け器具。
【請求項２】
前記載置部または前記外枠部には、前記ラベルの端縁が突き当てられることにより前記ラベルを位置決め可能な位置決め部が設けられていることを特徴とする請求項１に記載のラベル貼り付け器具。
【請求項３】
前記載置部には、前記載置部の前記外枠部に対する相対移動方向と交差する方向に突出して前記外枠部と干渉することで、前記外枠部の前記待機位置から前記貼り付け位置への相対移動を規制する突起部が設けられ、
前記外枠部には、前記突起部を内部に収容して前記突起部の干渉を解除することで、前記外枠部の前記貼り付け位置への移動を可能とする凹部が設けられ、
かつ、前記外枠部には、前記外枠部における前記突起部との当接縁から奥側へ向かって傾斜するとともに、その先端が前記凹部と連結されたテーパ部が設けられていることを特徴とする請求項１または請求項２に記載のラベル貼り付け器具。
【請求項４】
前記外枠部には、前記外枠部と、前記載置面と、前記記録媒体とで囲まれる空間を外部空間に連通させる空気抜き孔部が設けられていることを特徴とする請求項１〜請求項３のいずれかに記載のラベル貼り付け器具。
【請求項５】
前記載置部には、中心孔を備えた前記記録媒体を、前記中心孔側において位置決め状態で支持するための支持軸が備えられ、
前記支持軸は、前記載置部に対して前記記録媒体が前記載置面に載置されたラベルから離れる待機位置と、前記記録媒体が前記ラベルに接する貼り付け位置との間で相対的に移動可能とされていることを特徴とする請求項１〜請求項４のいずれかに記載のラベル貼り付け器具。
【発明の詳細な説明】
【０００１】
【発明の属する技術分野】
本発明は、ラベル貼り付け器具に関する。
【０００２】
【従来の技術】
従来、ＣＤやＤＶＤ等の記録媒体においては、ユーザーが、ディスクに記録された内容についての表示や好みの絵柄等をデザインしたラベルを貼り付けることが多くなっている。これに伴い、ＣＤ等にラベルを位置ずれなく貼り付けることのできる貼り付け器具が開発されてきている。
【０００３】
このような貼り付け器具の一例として、図２１に示すものがある。この貼り付け器具１００は、ラベル１１０を載置するための円形板状の載置台１０１と、ラベル１１０とＣＤ１１２との位置合わせを行うための軸部１０２とを備えたものである。軸部１０２は、略円柱状に形成されており、その上端部は段付き状に縮径されて、軸部１０２よりも一回り小さな径をもつ突部１０４とされている。載置台１０１の中央には、上下方向に貫通する軸挿通孔１０３が設けられており、軸部１０２はこの軸挿通孔１０３に摺動可能に取り付けられている。そして、ＣＤ１１２およびラベル１１０の貼り付けが行われていない状態では、軸部１０２は載置台１０１から上部へ突出した状態に保持されている。
【０００４】
ラベル１１０をＣＤ１１２に貼り付ける際には、まず、載置台１０１上にラベル１１０を、粘着面を上向きにしてセットする。ラベル１１０には、ＣＤ１１２に設けられた中心孔１１３に整合する位置に中心孔１１１が設けられており、この中心孔１１１に軸部１０２の突部１０４が挿通されるようにすることで、ラベル１１０の位置決めがなされる。
【０００５】
次いで、ＣＤ１１２を軸部１０２にセットする。このとき、ＣＤ１１２の中心孔１１３に突部１０４を挿通し、軸部１０２の段付き部分でＣＤ１１２が引っ掛けられるようにする。これにより、ＣＤ１１２が突部１０４によって位置決めされる。また、このとき、軸部１０２は軸挿通孔１０３から上方に飛び出した状態に保持されているので、ＣＤ１１２は載置台１０１の上面から浮いた状態で支持される。
この状態で、軸部１０２を下降させると、ＣＤ１１２が載置台１０１の上面位置まで下降し、ラベル１１０がＣＤ１１２に貼り付けられる。
【０００６】
【特許文献１】
特開２００２−１９３２２８公報
【０００７】
【発明が解決しようとする課題】
ところが、上記のような構成では、ＣＤ１１２は、中心孔１１３が軸部１０２の段付き部分に引っ掛けられることによってのみ支持される。このため、ＣＤ１１２が斜めに傾いたり、シーソー状に揺れたりしてしまい、不安定であった。そして、このような不安定な状態でＣＤ１１２を下降させると、ＣＤ１１２の揺動によってラベル１１０にシワがよってしまう場合があり、改善してほしいとの要望が出されていた。
【０００８】
また、中心孔１１１の制約を受けずにラベルに好みのデザインを施したいとの要望から、近年、中心孔１１１を有さないタイプのラベルが開発されてきている（例えば特開２００１−２６６５４０公報）。しかし、このようなラベルに対しては、上記のように中心孔１１１で位置決めを行う形式の貼り付け器具１００を適用することができない。
【０００９】
本発明は、上記した事情に鑑みてなされたものであり、その目的は、被貼付物を安定的に支持でき、かつ、様々なタイプのラベルに対応可能なラベル貼り付け器具を提供することにある。
【００１０】
【課題を解決するための手段】
上記の課題を解決するために請求項１の発明に係るラベル貼り付け器具は、記録媒体へのラベルの貼り付けを行うためのラベル貼り付け器具であって、前記ラベルを位置決め状態で載置するための載置面を備えた載置部と、前記載置面の外周を包囲するように設けられ前記記録媒体をその外周側において位置決め状態で支持するための支持部を備えた外枠部とを備え、前記外枠部は、前記載置部に対して前記記録媒体が前記載置面に載置されたラベルから離れる待機位置と、前記記録媒体が前記ラベルに接する貼り付け位置との間で相対的に移動可能とされていることを特徴とする。
【００１１】
請求項２の発明は、請求項１に記載のラベル貼り付け器具であって、前記載置部または前記外枠部には、前記ラベルの端縁が突き当てられることにより前記ラベルを位置決め可能な位置決め部が設けられていることを特徴とする。
【００１２】
請求項３の発明は、請求項１または請求項２に記載のラベル貼り付け器具であって、前記載置部には、前記載置部の前記外枠部に対する相対移動方向と交差する方向に突出して前記外枠部と干渉することで、前記外枠部の前記待機位置から前記貼り付け位置への相対移動を規制する突起部が設けられ、前記外枠部には、前記突起部を内部に収容して前記突起部の干渉を解除することで、前記外枠部の前記貼り付け位置への移動を可能とする凹部が設けられ、かつ、前記外枠部には、前記外枠部における前記突起部との当接縁から奥側へ向かって傾斜するとともに、その先端が前記凹部と連結されたテーパ部が設けられていることを特徴とする。
【００１３】
請求項４の発明は、請求項１〜請求項３のいずれかに記載のラベル貼り付け器具であって、前記外枠部には、前記外枠部と、前記載置面と、前記記録媒体とで囲まれる空間を外部空間に連通させる空気抜き孔部が設けられていることを特徴とする。
【００１４】
請求項５の発明は、請求項１〜請求項４のいずれかに記載のラベル貼り付け器具であって、前記載置部には、中心孔を備えた前記記録媒体を、前記中心孔側において位置決め状態で支持するための支持軸が備えられ、前記支持軸は、前記載置部に対して前記記録媒体が前記載置面に載置されたラベルから離れる待機位置と、前記記録媒体が前記ラベルに接する貼り付け位置との間で相対的に移動可能とされていることを特徴とする。
【００１５】
【発明の作用及び効果】
請求項１の発明によれば、記録媒体は、支持部によって外周側で支持されるようになっている。したがって、従来のラベル貼り付け器具のように記録媒体が斜めに傾いたり、シーソー状に揺れたりすることがなく、安定的に支持することができる。
【００１６】
請求項２の発明によれば、ラベルの位置決めは、従来のように中心孔を使用して行われるのではなく、端縁が位置決め部に突き当てられることによって行われる。従って、中心孔を有さないタイプのラベルにもラベル貼り付け器具を適用することができる。
【００１７】
請求項３の発明によれば、外枠部にはテーパ部が設けられている。そして、外枠部の待機位置から貼り付け位置への相対移動に際しては、突起部がこのテーパ部により凹部へと案内されることにより、外枠部のが滑らかに、かつゆっくりと移動する。このため、記録媒体のがたつきを防止して、安定的に保持することができる。
【００１８】
請求項４の発明によれば、外枠部には、この外枠部と、載置面と、記録媒体とで囲まれる空間を外部空間に連通させる空気抜き孔部が設けられている。ここで、外枠部の待機位置から貼り付け位置への移動に伴って、外枠部と、載置面と、記録媒体とで囲まれる空間内の空気が圧縮され、空気圧で記録媒体が浮き上がってしまう場合がある。しかし、空気抜き孔部を設けておくことによって、空気を外部空間へ逃がすことができる。これにより、記録媒体を安定的に保持することができる。
【００１９】
請求項５の発明によれば、ラベル貼り付け器具には、記録媒体をその中心孔側において位置決め状態で支持する支持軸が併用されている。したがって、記録媒体やラベルが、その大きさ・形が異なるために支持部や位置決め部に適合しないような場合には、この支持軸を使用して、従来と同様の方法で貼り付けを行うことができる。これにより、多様な形状の記録媒体およびラベルに対応が可能となる。
【００２０】
【発明の実施の形態】
以下、本発明のラベル貼り付け器具を具体化した一実施形態について、図１〜図２０を参照しつつ詳細に説明する。
【００２１】
本実施形態のラベル貼り付け器具１は、ＣＤ４０にラベル４１を貼り付けるためのものであって、本体部１０と、この本体部１０に外嵌される外枠部２０と、本体部１０に取り付けられるキャップ部３０とを備えている（図１参照）。この本体部１０および外枠部２０は、外径１２ｃｍのＣＤ４０に対応したものである。また、ＣＤ４０に貼り付けされるラベル４１は、中心孔を有さないタイプのものであり、その外径はＣＤ４０よりもわずかに小さくされている。
【００２２】
本体部１０には、円盤状の基板部１１が備えられ、この基板部１１上には、基板部１１よりも一回り小さい径をなす扁平な円柱状の載置部１２が設けられている（図１、図２参照）。基板部１１には、本体部１０と外枠部２０とを位置合わせするための一対の位置合わせ突部１６が、１８０°の間隔で、それぞれ径方向に向かって突設されている。
【００２３】
載置部１２は、ラベル４１とほぼ等しい外径をなしており、その上面は、ラベル４１が載置される載置面１３とされている。この載置部１２における外周面１４の下端側には、径方向に突出された３つの突起部１５が、等間隔に設けられている。この突起部１５は上端側が円弧状に形成された山状をなしており、その高さは載置部１２よりもやや低くされている。さらに、載置部１２における外周面１４の上端には、その周縁をわずかにえぐるようにして形成された一対の窪み部１９が、１８０°の間隔で設けられている。
【００２４】
一方、載置面１３の中央部には、後述するキャップ部３０を収容可能なキャップ収容孔１７が設けられている。このキャップ収容孔１７は、断面円形状に形成されて、上方が開放されている。そして、その内壁には、径方向内側に向かって突設された一対の台部１８が向かい合うように設けられている。この台部１８は、高さが載置部１２よりもやや低くされ、幅は円周のおよそ４分の１とされている。
【００２５】
外枠部２０は、本体部１０の基板部１１とほぼ等しい外径を有し、載置部１２の外径とほぼ等しい内径を有する扁平な円筒状に形成されている（図１、図３参照）。そして、その内部の空洞は、本体部１０の載置部１２をほぼ緊密に収容可能な収容部２１となっている。
【００２６】
この外枠部２０は、載置部１２よりもやや背高に形成されているとともに、収容部２１の内周面２１Ａにおける上端部が全周に渡って拡径されて、段付き状の支持部２２が形成されている。この支持部２２は、ＣＤ４０の外径とほぼ等しい内径に形成されていて、内部にＣＤ４０を収容可能とされている。そして、収容されたＣＤ４０は、段付き部２２Ｂによってその外周側が支持されるとともに、支持部２２の内周面２２ＡにＣＤ４０の端縁が突き当てられることにより、ＣＤ４０の盤面方向へのずれが規制される。このようにして、ＣＤ４０がその外周側において位置決め状態に保持されるようになっている。
【００２７】
収容部２１は、載置部１２の外径とほぼ等しい内径を有しており、その内周面２１Ａは、載置部１２が収容部２１の内部に収容された状態で、ラベル４１の端縁が突き当てられることによりラベル４１のラベル面方向へのずれを規制する位置決め部の役割を果たす。また、収容部２１の内周面２１Ａにおいて、本体部１０の突起部１５と整合する位置には、３つの凹部２３が設けられている。凹部２３は、外枠部２０の内壁の一部を切り欠くようにして、突起部１５よりもやや背高の山状に形成されており、収容部２１内に載置部１２を収容した際に、その内部に突起部１５を収容できるようにされている。
【００２８】
また、収容部２１には、突起部１５を凹部２３へ案内するためのテーパ部２４が設けられている。テーパ部２４は、収容部２１における下側（載置部１２が進入する側）の開口縁２１Ｂにおいて凹部２３よりもやや側方の位置を始端部として、そこから奥側へ向かってなだらかに傾斜し、その終端部は凹部２３の頂点付近へと繋げられている。なお、このテーパ部２４は、凹部２３に対してそれぞれ周方向の同じ側に設けられている。
【００２９】
さらに、収容部２１の内周面２１Ａには、一対の空気抜き孔部２５が、１８０°の間隔で設けられている。この空気抜き孔部２５は、外枠部２０の上端から支持部２２における段付き部２２Ｂのやや下側にかけての部分をわずかにえぐるようにして形成されており、支持部２２にＣＤ４０をセットしたときに、ＣＤ４０によって塞がれないようになっている。
【００３０】
また、外枠部２０の外周面には、上下方向に渡って径方向外側に突出された一対の摘み部２６が、１８０℃の間隔で設けられている。この摘み部２６は、外枠部２０内に載置部１２を収容した際に、本体部１０の位置合わせ突部１６と整合する位置に設けられている。
【００３１】
キャップ部３０は、径小に形成された第１のキャップ３１と、径大に形成された第２のキャップ３５とからなっている（図１、図４、図５参照）。第１のキャップ３１は、ＣＤ４０の中央部に設けられた中心孔よりもやや大きな径を有する略円柱状の軸部３２を備えており、その側面下部からは、一対の羽根部３３が径方向外側に向かって突設されている。この羽根部３３は、幅が円周のおよそ４分の１とされ、本体部１０のキャップ収容孔１７に設けられた一対の台部１８の間に嵌まり込むようになっている。また、軸部３２の上端部は段付き状に縮径されて、軸部３２よりも一回り小さな径をもち、ＣＤ４０の中心孔に挿入可能な挿入突部３４とされている。また、第２のキャップ３５は、略円筒状に形成されて、内部の空洞に第１のキャップ３１の軸部３２を収容可能とされている。また、その外周面からは、第１のキャップ３１の羽根部３３と等しい幅をもつ一対の大羽根部３６が、径方向外側に向かって突設されている。
【００３２】
次に、上記のように構成された本実施形態の作用および効果について説明する。
【００３３】
ＣＤ４０にラベル４１を貼り付ける際には、まず、外枠部２０を本体部１０に上側から嵌め付け、収容部２１に載置部１２を進入させる（図６、図７参照）。このとき、本体部１０の位置合わせ突部１６と外枠部２０の摘み部２６とがずれた位置となるようにする。この状態では、本体部１０の突起部１５と外枠部２０の凹部２３とがずれた状態となり、突起部１５が収容部２１の下側の開口縁２１Ｂに突き当てられることによって、外枠部２０の下降が規制される。これにより、外枠部２０は本体部１０からやや上方へ浮き上がった位置（待機位置）で保持される。
【００３４】
この状態で、本体部１０の載置面１３にラベル４１を載置する。このとき、ラベル４１の粘着面が上になるようにする。ここで、ラベル４１は、その端縁が収容部２１の内周面２１Ａに突き当たることにより、位置決めがなされている。
【００３５】
また、外枠部２０の支持部２２にＣＤ４０をセットする。このとき、ＣＤ４０においてラベル４１を貼り付ける貼付面４０Ａが下になるようにする。収容されたＣＤ４０は、段付き部２２Ｂによってその外周側が支持されるとともに、支持部２２の内周面２２ＡにＣＤ４０の端縁が突き当てられることにより、ＣＤ４０の盤面方向へのずれが規制される。このようにして、ＣＤ４０がその外周側において位置決め状態に保持される。なお、この状態では、外枠部２０は本体部１０からやや上方へ浮き上がった待機位置にあるから、支持部２２が載置面１３よりも上方に浮き上がった位置にあり、ラベル４１とＣＤ４０とが接触しないようになっている。
【００３６】
次いで、外枠部２０の摘み部２６を指で摘み、外枠部２０をゆっくりと回転させる。このとき、外枠部２０の回転方向を、テーパ部２４が凹部２３へ向かって傾斜してゆく方向と逆方向（図７中矢印方向）となるようにする。すると、突起部１５の上端がテーパ部２４に案内されて凹部２３へ向かって移動していく。これに伴って、外枠部２０がゆっくりと下降していく。このとき、ＣＤ４０は支持部２２の段付き部２２Ｂによって外周側で支持されているので、斜めに傾いたり、シーソー状に揺れたりすることがなく、安定した状態で保持される。また、テーパ部２４によって外枠部２０が滑らかに、ゆっくりと下降されるようになっているので、ＣＤ４０が下降の衝撃によってがたつくことが防止される。
【００３７】
さらに、収容部２１の内周面２１Ａと、載置面１３と、ＣＤ４０とで囲まれる空間は、閉鎖空間Ｓとなっているため、外枠部２０の下降に伴って、空気圧でＣＤ４０が浮き上がってしまうおそれがある。しかし、外枠部２０には空気抜き孔部２５が形成されており、この閉鎖空間Ｓが外部空間に連通されているので、閉鎖空間Ｓ内の空気は空気抜き孔部２５を通って外部空間へ逃がされる。これにより、ＣＤ４０の浮き上がりが防止される。さらに、テーパ部２４によって外枠部２０が滑らかに、ゆっくりと下降されるようになっているから、閉鎖空間Ｓ内の空気圧の急激な上昇が回避され、ＣＤ４０の浮き上がりが確実に防止される。
【００３８】
そして、摘み部２６が位置合わせ突部１６に一致するまで外枠部２０が回転されると、突起部１５が凹部２３へ収容される（図８〜図１２参照）。そして、外枠部２０は完全に下降して貼り付け位置に至る。この状態では、支持部２２における段付き部２２Ｂが載置面１３と面一になる位置まで下降されている。これに伴い、ＣＤ４０がラベル４１の粘着面に接する位置まで下降され、ＣＤ４０とラベル４１とが接着される。
【００３９】
なお、本実施形態のラベル貼り付け器具１には、従来のようにＣＤを中心孔側で支持するタイプのキャップ部３０も併せて設けられている。このため、例えば径が小さく、収容部２１の内周面２１Ａで位置決めできない８センチＣＤ用ラベル５１の場合には、従来と同様にキャップ部３０を使用してラベル５１の位置決めを行うことができる。なお、中心孔の内径が小さい場合には、第１のキャップ３１を単独で使用し、中心孔の内径が大きい場合には、第２のキャップ３５を第１のキャップ３１に嵌め付けることにより調整すればよい。
【００４０】
すなわち、ラベル５１をＣＤ５０に貼り付ける際には、まず、載置部１２に第１のキャップ３１をセットする。このとき、第１のキャップ３１の羽根部３３がキャップ収容孔１７の台部１８上に載るようにする。これにより、第１のキャップ３１の上部がキャップ収容孔１７から上方に飛び出した状態とされる（図１３〜図１６参照）。
【００４１】
この状態で、載置部１２上にラベル５１を、粘着面を上向きにしてセットする。ラベル５１には、ＣＤ５０に設けられた中心孔に整合する位置に中心孔が設けられているので、この中心孔に第１のキャップ３１の軸部３２が挿通されるようにすることで、ラベル５１の位置決めがなされる。次いで、ＣＤ５０を第１のキャップ３１にセットする。このとき、ＣＤ５０の中心孔に挿入突部３４を挿通し、軸部３２の段付き部分でＣＤ５０が引っ掛けられるようにする。これにより、ＣＤ５０が挿入突部３４によって位置決めされ、かつ載置面１３から浮いた状態で支持される。
【００４２】
この状態で、挿入突部３４に指を掛けて第１のキャップ３１を１／４回転させると、第１のキャップ３１の羽根部３３が台部１８の上面から外れ、２つの台部１８の間に嵌まり込む。これによって第１のキャップ３１がキャップ収容孔１７内へ落とされる（図１７〜図２０参照）。これに伴って、ＣＤ５０が載置部１２の上面位置まで落下し、ラベル５１がＣＤ５０に貼り付けられる。
【００４３】
以上のように本実施形態によれば、ＣＤ４０は、外枠部２０に設けられた支持部２２によって外周側で支持されるようになっている。したがって、従来のラベル貼り付け器具のようにＣＤ４０が斜めに傾いたり、シーソー状に揺れたりすることがなく、安定的に支持することができる。
また、ラベル４１の位置決めは、収容部２１の内周面２１Ａによって行われる。従って、中心孔を有さないタイプのラベル４１にもラベル貼り付け器具１を適用することができる。
【００４４】
また、外枠部２０の待機位置から貼り付け位置への移動に際して、突起部１５がテーパ部２４によって案内されることにより、外枠部２０が滑らかに、ゆっくりと下降する。このため、ＣＤ４０のがたつきを防止して、安定的に保持することができる。
【００４５】
さらに、収容部２１の内周面２１Ａには、この内周面２１Ａと、載置面１３と、ＣＤ４０とで囲まれる閉鎖空間Ｓを外部空間に連通させる空気抜き孔部２５が設けられている。これにより、閉鎖空間Ｓ内の空気は空気抜き孔部２５を通って外部空間へ逃がされるから、空気圧によるＣＤ４０の浮き上がりが防止され、ＣＤ４０を安定的に保持することができる。
【００４６】
加えて、ラベル貼り付け器具１には、ＣＤ５０をその中心孔側において位置決め状態で支持するキャップ部３０が併用されている。したがって、ラベル５１の大きさ・形が異なるために、支持部２２や収容部２１の内周面２１Ａに適合しないような場合には、このキャップ部３０を使用して、従来と同様の方法で貼り付けを行うことができる。これにより、多様な形状の記録媒体およびラベルに対応が可能となる。
【００４７】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）本実施形態のラベル貼り付け器具１は、ＣＤ４０、５０に対して適用されるものであったが、記録媒体の種類は本実施形態に限るものではなく、例えばフレキシブルディスク等種々の記録媒体に対して、本発明のラベル貼り付け器具を適用できる。また、ラベル貼り付け器具の形状は、円形に限られず、適用される記録媒体の形状に応じた種々の形状とすることができる。
（２）本実施形態のラベル４１、５１は円形のものであったが、ラベルの形状は本実施形態に限るものではなく、例えば矩形状のラベルなど種々の形状のラベルに対して、本発明のラベル貼り付け器具を適用することができる。
【図面の簡単な説明】
【図１】本実施形態のラベル貼り付け器具の分解斜視図
【図２】本体部の上面図
【図３】外枠部の上面図
【図４】第１のキャップの上面図
【図５】第２のキャップの上面図
【図６】本体部に外枠部を取り付けた様子を示す斜視図
【図７】ＣＤおよびラベルをラベル貼り付け器具にセットした様子を示す部分断面図
【図８】外枠部を下降させてＣＤにラベルを貼り付けた様子を示す斜視図
【図９】外枠部を下降させてＣＤにラベルを貼り付けた様子を示す部分断面図
【図１０】ラベル貼り付け器具からＣＤを取り出した様子を示す斜視図
【図１１】ラベル貼り付け器具からＣＤを取り出した様子を示す部分断面図
【図１２】ラベル貼り付け器具からＣＤを取り出した様子を示す上面図
【図１３】本体部に第１のキャップを取り付けた様子を示す斜視図
【図１４】ＣＤおよびラベルをラベル貼り付け器具にセットした様子を示す斜視図
【図１５】図１４のＡ−Ａ断面図
【図１６】図１４のＢ−Ｂ断面図
【図１７】第１のキャップを下降させてＣＤにラベルを貼り付けた様子を示す部分断面図−１
【図１８】第１のキャップを下降させてＣＤにラベルを貼り付けた様子を示す部分断面図−２
【図１９】ラベル貼り付け器具からＣＤを取り出した様子を示す斜視図
【図２０】ラベル貼り付け器具からＣＤを取り出した様子を示す上面図
【図２１】従来のラベル貼り付け器具の斜視図
【符号の説明】
１…ラベル貼り付け器具
１２…載置部
１３…載置面
１５…突起部
２０…外枠部
２１Ｂ…開口縁（当接縁）
２２…支持部
２２Ａ…内周面（位置決め部）
２３…凹部
２４…テーパ部
２５…空気抜き孔部
３０…キャップ部（支持軸）
４０、５０…ＣＤ（記録媒体）
４１、５１…ラベル
Ｓ…閉鎖空間（空間）
【図１】
2004123160.tif 000003
【図２】
2004123160.tif 000004
【図３】
2004123160.tif 000005
【図４】
2004123160.tif 000006
【図５】
2004123160.tif 000007
【図６】
2004123160.tif 000008
【図７】
2004123160.tif 000009
【図８】
2004123160.tif 000010
【図９】
2004123160.tif 000011
【図１０】
2004123160.tif 000012
【図１１】
2004123160.tif 000013
【図１２】
2004123160.tif 000014
【図１３】
2004123160.tif 000015
【図１４】
2004123160.tif 000016
【図１５】
2004123160.tif 000017
【図１６】
2004123160.tif 000018
【図１７】
2004123160.tif 000019
【図１８】
2004123160.tif 000020
【図１９】
2004123160.tif 000021
【図２０】
2004123160.tif 000022
【図２１】
2004123160.tif 000023